(57)【要約】【課題】恒温槽の温度が低い状態で電源投入されても、送信出力の周波数が規定の周波数許容偏差を満足するＳＴＬ装置の送信部分を実現する。【解決手段】恒温槽付水晶発信器を送信出力の基準周波数とするデジタル無線伝送装置において、電源投入時から所定時間の間、送信出力の高周波電力増幅器の出力を停止し、前記所定時間の後、前記高周波電力増幅器の出力を送信出力の定格とする。また、恒温槽付水晶発信器の恒温槽の温度を検出する手段を有し、定常時の恒温槽付水晶発信器の恒温槽の温度を記憶しておき、該定常時の恒温槽付水晶発信器の恒温槽の温度と電源投入時の恒温槽付水晶発信器の恒温槽の温度との差分に比例した時間を前記所定時間とする。【選択図】図１
2011166469.tif 000002
【特許請求の範囲】
【請求項１】
恒温槽付水晶発信器を送信出力の基準周波数とするデジタル無線伝送装置において、電源投入時から所定時間の間、送信出力の高周波電力増幅器の出力を停止し、前記所定時間の後、前記電力増幅器の出力を送信出力の定格とすることを特徴とするデジタル無線伝送装置。
【発明の詳細な説明】
【技術分野】
【０００１】
本発明は、デジタル無線伝送装置に関するものである。
【背景技術】
【０００２】
近年、地上波放送のデジタル化に伴い、放送局で用いられるＳＨＦ（Super-High-Frequency通称マイクロ波）を用いたＳＴＬ（Studio-Transmitter-Link）装置に恒温槽付水晶発信器（Oven-Control-Crystal-Oscillator以下ＯＣＸＯ）の出力に位相同期（Phase-Locked Loop以下ＰＬＬ）する局部高周波発振器（以下マイクロ波シンセサイザ）を用いるデジタル無線伝送装置が用いられるようになっている。
【０００３】
また、送信出力の周波数の許容偏差は０．１ＰＰＭ以内に規定されている。そこで、局部高周波発振器の周波数のずれを検出していた（特許文献１参照）。
【０００４】
従来のＳＴＬ装置の送信部分の系統を図３に示す。図示しないＳＴＬ装置の受信部分で受信され周波数変換された中間（Inter-Frequency以下ＩＦ）信号130MHzは混合器（ＭＩＸ）とマイクロ波シンセサイザにより所定の周波数に変換され、BPFで不要妨害波(マイクロ波シンセサイザの基本波、高調波及び希望波のイメージ信号等)を除去し、高周波電力増幅器（Power
Amp以下ＰＡ）で所定の電力まで増力され出力される。
【０００５】
一方、マイクロ波シンセサイザはＯＣＸＯの10MHzを基準信号としたPLL構成となっており、マイクロ波シンセサイザの周波数安定度は全てこのＯＣＸＯの10MHzに依存している。ＯＣＸＯは内部に温度を制御した恒温槽（Control-Oven）を持っており、周波数を安定化させる。従って、恒温槽の温度が低い状態から電源投入時は図2に示すようにＯＣＸＯの10MHzの周波数は動き、約２分後に０．１ＰＰＭ以内で、約５分後に０．０２ＰＰＭ以内の周波数に安定するといった動作をとる。そのため、恒温槽の温度が低い状態から電源投入時はＳＴＬ装置の送信部分の出力の周波数もずれてしまうこととなる。
【先行技術文献】
【特許文献】
【０００６】
【特許文献１】特開２００８−１９３５３２号公報
【発明の概要】
【発明が解決しようとする課題】
【０００７】
本発明は、恒温槽の温度が低い状態で電源投入されても、送信出力の周波数が規定の周波数許容偏差を満足するＳＴＬ装置の送信部分を実現することを目的とする。
【課題を解決するための手段】
【０００８】
本発明は、上記の目的を達成するために、恒温槽付水晶発信器を送信出力の基準周波数とするデジタル無線伝送装置において、電源投入時から所定時間の間、送信出力の高周波電力増幅器の出力を停止し、前記所定時間の後、前記高周波電力増幅器の出力を送信出力の定格とすることを特徴とするデジタル無線伝送装置である。
【０００９】
また、上記デジタル無線伝送装置において、恒温槽付水晶発信器の恒温槽の温度を検出する手段を有し、定常時の恒温槽付水晶発信器の恒温槽の温度を記憶しておき、該定常時の恒温槽付水晶発信器の恒温槽の温度と電源投入時の恒温槽付水晶発信器の恒温槽の温度との差分に比例した時間を前記所定時間とすることを特徴とするデジタル無線伝送装置である。
【発明の効果】
【００１０】
以上説明したように本発明によれば、恒温槽の温度が低い状態で電源投入されても、送信出力の周波数が規定の周波数許容偏差を満足するＳＴＬ装置の送信部分を実現することが可能になる。
【図面の簡単な説明】
【００１１】
【図１】本発明の一実施例を示すＳＴＬの送信部分のブロック図
【図２】ＯＣＸＯの温度が低い状態の電源起動時の周波数偏差の模式図
【図３】従来技術のＳＴＬの送信部分のブロック図
【発明を実施するための形態】
【実施例１】
【００１２】
本発明の実施例を図１を用いて説明する。図１は本発明のＳＴＬ装置の送信部分を示すブロック図であり、図３の従来技術の構成に加え、ＳＴＬ装置の送信部分に減衰器の起動時制御または電力増幅器の起動時制御を加えたＳＴＬ装置として用いられるデジタル無線伝送装置である。
【００１３】
本発明のＳＴＬ装置の送信部分を示すブロック図の図１において、１は減衰器、２は混合器（ＭＩＸ）、３はＢＰＦ、４は高周波電力増幅器（Power-Amp以下ＰＡ）、５は恒温槽付水晶発信器（ＯＣＸＯ）、６はマイクロ波シンセサイザであり、７は制御部、８は減衰制御部、９は起動制御部である。
【００１４】
本発明のＳＴＬ装置の送信部分を示すブロック図の図１において、図示しないＳＴＬ装置の受信部分で受信され周波数変換された中間（Inter-Frequency以下ＩＦ）信号130MHzは混合器（ＭＩＸ）２とマイクロ波シンセサイザ６により所定のＳＨＦ（マイクロ波）周波数に変換され、ＢＰＦ３で不要妨害波（マイクロ波シンセサイザの基本波、高調波及び希望波のイメージ信号等）を除去し、高周波電力増幅器（ＰＡ）で所定の電力まで増力され出力され図示しないアンテナからＳＨＦ（マイクロ波）が送信される。
【００１５】
一方、マイクロ波シンセサイザ６はＯＣＸＯ５の10MHzを基準信号としたPLL構成となっており、マイクロ波シンセサイザ６の周波数安定度は全てこのＯＣＸＯ５の10MHzに依存している。ＯＣＸＯ５は内部に温度を制御した恒温槽（Control-Oven）を持っており、周波数を安定化させる。従って、ＯＣＸＯ５の恒温槽の温度が低い状態から電源投入時は図２に示すようにＯＣＸＯ５の10MHzの周波数は動き、約２分後に０．１ＰＰＭ以内で、約５分後に０．１ＰＰＭ以内の周波数に安定するといった動作をとる。そのため、ＯＣＸＯ５の恒温槽の温度が低い状態から電源投入時はＳＴＬ装置の送信部分の出力の周波数もずれてしまうこととなる。
【００１６】
そのため、ＯＣＸＯ５の恒温槽の温度が低い状態から電源投入後はマイクロ波シンセサイザ６の周波数がずれるため、ＳＨＦ（マイクロ波）送信出力の周波数もずれてしまう。そのためＯＣＸＯ５の恒温槽の温度が低い状態では、電源投入後の所定起動時間はマイクロ波シンセサイザ６の電源及び高周波電力増幅器（ＰＡ）４の電源をOFFすることで、ずれたＳＨＦ（マイクロ波）周波数の信号を出力しないことを特徴としている。電源投入後の所定起動時間はマイクロ波シンセサイザ６の電源を先にONし、その後高周波電力増幅器４の電源をONする。
【００１７】
また、ＯＣＸＯ５の温度を制御している恒温槽の温度情報を制御部７に入力し、定常時のＯＣＸＯ５の恒温槽の温度を記憶しておき、定常時のＯＣＸＯ５の恒温槽の温度と電源投入時のＯＣＸＯ５の恒温槽の温度との差分に比例した時間を起動時間とする。制御部７が、起動制御部９を経由してマイクロ波シンセサイザ６と高周波電力増幅器４とを制御する。
ＯＣＸＯ５の恒温槽の温度が低い状態では５分間。ＯＣＸＯ５の恒温槽の温度が常温では２分間。ＯＣＸＯ５の恒温槽の温度が定常状態に近い高温なら１分間。電源投入時の恒温槽付水晶発信器の恒温槽の温度に応じた、最小限の時間で送信出力が定格となる。
【００１８】
ここで高周波電力増幅器４の電源とマイクロ波シンセサイザ６の電源をOFFする理由について述べる。
高周波電力増幅器４の電源だけをOFFした場合、実力値でFET1個で20dB程度の減衰量となるが、高周波電力増幅器４を構成するFETの数が少ない場合、高周波電力増幅器４の電源をOFFしても信号が20dB×FETの個数分減衰したレベルで出力されてしまう。当然、高周波電力増幅器４を構成するFETの個数が多ければ高周波電力増幅器４の電源をOFFするだけでも問題ないが、高周波電力増幅器４を構成するFETの個数が少なければ問題となる。さらに、FETの電源をOFFしているため、FETを通過する信号はより歪んだ信号となり、帯域外へのスプリアスも懸念される。従って、高周波電力増幅器４を構成するFETの個数が少ない場合も考慮し、マイクロ波シンセサイザ６の電源もOFFする。マイクロ波シンセサイザ６の電源もOFFすることで、混合器（ＭＩＸ）２が非アクティブ動作となり、更に30dB程度の減衰量を確保できる。それでも減衰量が問題となる場合は、混合器（ＭＩＸ）２へ入力するIF130MHzも電源投後約５分間は減衰させておく必要がある。
【００１９】
マイクロ波シンセサイザ６と高周波電力増幅器４の電源を入れる順番について説明する。仮に高周波電力増幅器４の電源を先に投入し、その後マイクロ波シンセサイザ６の電源を入れた場合、マイクロ波シンセサイザ６のＰＬＬがＯＣＸＯ５に同期するまでの間、周波数がずれた信号が出力されてしまう。そのため、電源を投入する順番としてマイクロ波シンセサイザ６、高周波電力増幅器４、必要な場合は混合器（ＭＩＸ）２入力のIF信号の減衰器１の解除の順番となるように、制御部７が、起動制御部９を経由してマイクロ波シンセサイザ６と高周波電力増幅器４とを制御し、減衰制御部８を経由して減衰器１を制御する。
【符号の説明】
【００２０】
１：減衰器、２：混合器（ＭＩＸ）、３：ＢＰＦ、
４：高周波電力増幅器（ＰＡ）、５：恒温槽付水晶発信器（ＯＣＸＯ）、
６：マイクロ波シンセサイザ、
７：制御部、８：減衰制御部、９：起動制御部、
【図１】
2011166469.tif 000003
【図２】
2011166469.tif 000004
【図３】
2011166469.tif 000005